(57)【要約】  車内で用いられる折りたたみ式チャイルド安全シート装置であって、当該装置は背もたれ部に回転自在に連結された座面と、背もたれとヘッドレストを備えた背もたれ部とを有し、座面と背もたれ部は互いに折り曲げることができ、座面と背もたれ部は横方向に狭窄され得、さらにヘッドレストは背もたれと少なくとも部分的に重なり合うように引っ込められるか折り曲げられ、それによって、折りたたみ式チャイルド安全シートは、全ての部分が展開された展開位置と全ての部分が折りたたまれた圧縮位置の間で変形可能である。【選択図】図３
2007528315.tif 000002
【特許請求の範囲】
【請求項１】
背もたれ部に回転自在に連結された座面と、
背もたれとヘッドレストを備える背もたれ部と、を備え、
前記座面と前記背もたれ部は互いに折り曲げられ、前記座面と前記背もたれ部は横方向に狭窄され、前記ヘッドレストは少なくとも部分的に前記背もたれと重なり合うように引っ込められ、または折り曲げられ、
それによって、折りたたみ式チャイルド安全シート装置は、全ての部分が展開する展開位置と全ての部分が折りたたまれる圧縮位置との間で変形される車両用折りたたみ式チャイルド安全シート装置。
【請求項２】
前記座面は頂面と底面を有し、前記背もたれ部は前面と後面を有し、前記座面は当該座面の底面が前記背もたれ部の後面に向けて折り曲げられることを特徴とする請求項１に記載の装置。
【請求項３】
前記座面と前記背もたれ部は、各々、展開位置と狭窄位置との間を相互に動くことができる二つ以上の部分を備えることを特徴とする請求項１に記載の装置。
【請求項４】
一つ以上の部分を展開または折りたたむ展開機構が設けられる請求項１に記載の装置。
【請求項５】
前記展開機構は、一方向の動きを他方向へ変換することを特徴とする請求項４に記載の装置。
【請求項６】
一方への動きは使用者が直接加えることを特徴とする請求項５に記載の装置。
【請求項７】
前記展開機構は一つ以上の部分を摺動可能に展開または折りたたむことを特徴とする請求項４に記載の装置。
【請求項８】
前記展開機構はいくつかの部分または全ての部分を同時に展開または折りたたむことを特徴とする請求項４に記載の装置。
【請求項９】
制止装置がさらに設けられる請求項１に記載の装置。
【請求項１０】
前記制止装置は一つ以上の帯状物を備えることを特徴とする請求項９に記載の装置。
【請求項１１】
前記装置を車両に固定するための複数の堅牢な固定装置またはラッチの少なくとも一方が設けられることを特徴とする請求項１に記載の装置。
【請求項１２】
各部位は少なくとも一つの連続した堅牢な部材を備えることを特徴とする請求項１に記載の装置。
【発明の詳細な説明】
【技術分野】
【０００１】
本発明は車両用携帯型子供拘束システムに関する。本発明は、より詳しくは、折りたたみ式チャイルド安全シートおよび子供用補助椅子に関する。
【背景技術】
【０００２】
チャイルド安全シートは、車両に備え付けられた大人用安全ベルトすなわち堅牢な連結部材を用いて車両の乗客用シートに固定される子供拘束システムである。
チャイルド安全シートは、子供を拘束、着座または所定の位置に据えることを目的とする固有の拘束システム、すなわち典型的には、ベルトまたは構造上の要素を有する。
子供用安全補助椅子シート（「子供用補助椅子」）は、チャイルド安全シートに類似した他のタイプの子供拘束システムである。しかしながら、子供用補助椅子の目的は、子供を車両シートの所定の位置に据えて、車両に備え付けられた大人用安全ベルトの子供への適合性を向上させることである。よって、子供用補助椅子はそれ自体は拘束手段を持たない。
【０００３】
本発明は、チャイルド安全シートまたは子供用補助椅子の使用されていないときのサイズを小さくする問題に取り組んでいる。本発明の原理は、チャイルド安全シートと子供用補助椅子との違いによって損なわれるものではないので、一般的にチャイルド安全シートまたは子供用補助椅子と同様に作られている。本明細書中の開示を明確にする目的のために、「チャイルド安全シート」という用語は本発明で適用されたときには、特に特定されない限り（例えば、二つのタイプの子供拘束システムの一方のみを範囲に含む先行技術について言及している場合）、「子供用補助椅子」と同等の意味で言及されているものと解釈されるべきである。
【０００４】
従来のチャイルド安全シートは鋳型で作られた一体構造の装置であるため、移動中や運搬中、かさばったり、重かったり、持ち運びに不便だったりする。また、使用していないときや、保管中、荷積み中および小売レベルではスペース面で非効率でもある。
したがって、車両の使用者は、チャイルド安全シートを折りたたみ、すなわち折り曲げて圧縮サイズにすることにより、シートの持ち運びを便利にし、効率的に荷積みすることを容易にするという利点をチャイルド安全シートから得る。生産者や販売ルートは、荷積みコストや保管およびディスプレイに必要とされるスペースを減らせるという利点をそのようなシートから得る。
従来のチャイルド安全シートにおいてもスペース面での非効率に取り組む試みがいくつかなされてきた。一つの解決策として、Ｍｅｅｋｅｒ  ｅｌ  ａｌ．により二つの改良品が提供されている。
【０００５】
発明の名称を「車両シート用折り曲げ式子供用補助椅子」とする米国特許出願番号第２００４００６１３６６号（特許文献１）は、「（ａ）頂部および底部を有するシート部材と、（ｂ）前部および後部を有する背もたれ部材と、（ｃ）前記シート部材を、基本的にＬ字型の第一の位置から基本的に折りたたまれた第二の位置に選択的に位置づけする手段を備え、前記シート部材の前記頂部は前記背もたれ部材の前部に隣接することを特徴とする折りたたみ式車両用シート」を開示している。
また、発明の名称を「折り曲げ調節式子供用補助椅子車両シート」とする米国特許出願番号第２００４０１２４６７７号（特許文献２）は、「（ａ）シート部材と、（ｂ）前記シート部材に回転自在に連結された背もたれ部材であって、前記背もたれ部材は、（ｉ）固定された構成部分と（ｉｉ）可動式構成部分を含む背もたれ部材とをさらに備える背もたれ部材と、（ｃ）前記シート部材を、基本的にＬ字型の第一の位置から基本的に折りたたまれた第二の位置に選択的に位置づけする手段であって、前記シート部材の頂部は前記背もたれ部材の前部に隣接することを特徴とする手段と、（ｄ）前記可動式構成部分を前記固定された構成部分に対して選択的に位置決めする手段とを備える折りたたみ式車両用シート」を開示している。
【０００６】
上記いずれの出願においても、子供用補助椅子のシート部材は背もたれ部材方向に上向きに折り曲げられ、それによってＬ字型の開位置から本のように折り曲げられた位置に移動する。
特許文献２は、ヘッドレスト要素をより高い位置に位置づけしなおすことにより、背もたれの高さを延ばし、これによってより背の高い子供を収容することをさらに開示している。
これらの解決策は、シートを上方向に折り曲げ背もたれに隣接させることでシート全体の嵩を小さくすることを提供しているが、それらはシート幅を小さくすることを提供していない。さらに、それらは、背もたれの長さを縮めることを含んでいない。
【０００７】
他の解決策が、発明の名称を「チャイルド安全シート」とするＳｅｌｂｅｒｇ  ＢｅｎｇｔへのＰＣＴ国際出願公開番号第ＷＯ９５／２５６４５号（特許文献３）に開示されている。彼は、「二つの側部部分と、シートと、背もたれ部を備える子供用の車両用安全シートであって、シートと背もたれ部を折り曲げることにより前記部分が相互方向に移動可能なため折り曲げ可能であることを特徴とする子供用の車両用安全シートを開示している。折り曲げられていない状態では、シートおよび背もたれ部にある固定装置を用いて固定可能であることも好ましい。このような設計により、折り曲げ式安全シートはほとんどスペースを必要とせず、使用されていないときにはしまい込むことが容易となる。」と開示している。
Ｂｅｎｇｔは、チャイルド安全シートの幅を小さくする手段として折り曲げに着目しており、折り曲げるためのその他の手段を考えていない。彼は、背もたれ部をシートに対して折り曲げることはなく、また背もたれ部の高さも減じていない。
【特許文献１】米国特許出願番号第２００４００６１３６６号
【特許文献２】米国特許出願番号第２００４０１２４６７７号
【特許文献３】ＰＣＴ国際出願公開番号第ＷＯ９５／２５６４５号
【発明の開示】
【０００８】
本発明は、先行技術が取り組んでいない範囲について解決策を提供するものである。本発明は、実質的に全開状態のときよりも小さい、非常に圧縮されたサイズまで折りたたむことが可能なチャイルド安全シートを提供する。小さいサイズのシートは、例えば、飛行機のフライトの荷物の一部または製造元から荷積み用コンテナに詰め込まれる荷物のような状態で移動中に持ち運ぶのに便利である。本発明によって達成される目覚ましい嵩の減少は、従来の解決策と比較しても、非常に便利で、製造者、流通業者および最終使用者にとってもコスト削減ができるものである。
【０００９】
本発明は、背もたれおよび座面を備える折りたたみ式チャイルド安全シートを提供する。この安全シートの部分を完全に開状態（操作状態）にするとき、元の嵩から、下記のようなかなり小さい嵩に折りたたむことができる。すなわち、好ましくは縮小機構により背もたれおよび座面の幅を小さくし、好ましくは背中を支持するための下部セクションと頭を支持するための上部セクションを備える背もたれによって背もたれの高さも小さくでき、頭部支持用セクションは背中支持用セクションに引っ込めることが可能で、座面の奥行きはヒンジ連結を用いて座面を背もたれに対して回転させることで小さくでき、前記連結は、座面の頂面が背もたれの前面と合わさるように上方向に回転するか、座面は下方向に回転自在で座面の底面は背もたれの後面に合わさるように回転するか、または座面は両方向に回転自在となるように提供されるのが好ましく、さらに幅および高さの縮小および引っ込め機構は、単一の制御機構が幅と高さの両方を変更するか、あるいは一方の寸法を変更することにより他方の寸法を変更するように一体化されているのが好ましい。
【００１０】
従って、本発明の目的は、最小限に圧縮されたサイズにまで容易に折りたたむことができる折りたたみ式チャイルド安全シートを提供することにある。
本発明の更なる目的は、軽量な折りたたみ式チャイルド安全シートを提供することにある。
本発明の更なる目的は、最小限の保管スペースのみを要する折りたたみ式チャイルド安全シートを提供することにある。
本発明の更なる目的は、嵩が小さく、現存するチャイルド安全シートよりも移動や荷積みが便利な折りたたみ式チャイルド安全シートを提供することにある。
【００１１】
よって、本発明の好ましい実施形態によれば、背もたれ部に回転自在に連結される座面と、背もたれとヘッドレストを備える背もたれ部とを備える車両用の折りたたみ式チャイルド安全シートであって、座面および背もたれ部は互いに向けて折り曲げ可能で、座面および背もたれ部は横方向に狭窄可能で、ヘッドレストは少なくとも部分的に背もたれと重なるように引っ込められるか折り曲げられ得、それによって折りたたみ式チャイルド安全シートは全ての部分が展開する展開位置と全ての部分が折りたたまれる圧縮位置との間で変形可能な折りたたみ式チャイルド安全シートが提供される。
【００１２】
さらに、本発明の他の好ましい実施形態によれば、座面は頂面および底面を有し、背もたれ部は前面および後面を有し、座面は該座面の底面が背もたれ部の後面に向けて動くように折り曲げられ得る。
さらに、本発明の他の好ましい実施形態によれば、座面および背もたれ部は、各々、相互移動可能な二つ以上の部分を展開位置と狭窄位置との間に備える。
さらに、本発明の他の好ましい実施形態によれば、該装置は一つ以上の部分を展開または折りたたむ展開機構が設けられている。
さらに、本発明の他の好ましい実施形態によれば、展開機構は、一方向への動きを他方向への動きに変換する。
さらに、本発明の他の好ましい実施形態によれば、主要な一方向への動きは使用者から直接加えられる。
さらに、本発明の他の好ましい実施形態によれば、展開機構は一つ以上の部分を摺動可能に展開または折りたたむ。
【００１３】
さらに、本発明の好ましい実施形態によれば、展開機構はいくつかの部分または全ての部分を同時に展開または折りたたむことができる。
さらに、本発明の他の実施形態によれば、折りたたみ式チャイルド安全シート装置には制止装置が設けられている。
さらに、本発明の他の好ましい実施形態によれば、該制止装置は一つ以上の帯状物を備える。
さらに、本発明の他の好ましい実施形態によれば、折りたたみ式チャイルド安全シート装置には、該装置を車両に固定するための複数の堅牢な固定装置またはラッチのいずれか一方が設けられる。
さらに、本発明の好ましい実施形態によれば、装置の部位の各々は、少なくとも一つの連続した堅牢な部材からなる。
【００１４】
（図面の簡単な説明）
図１は、本発明の好ましい実施形態による、堅牢な固定装置を備えるチャイルド安全シートの子供用補助椅子の一形態である。
図２Ａは、本発明の好ましい実施形態による展開した状態のチャイルド安全シートの主要な構成部分の側面図である。
図２Ｂは、本発明の好ましい実施形態による圧縮状態のチャイルド安全シートの主要な構成部分の側面図である。
図３は、本発明の好ましい実施形態による展開した状態のチャイルド安全シートの主要な構造上の構成部分の等角図である。
図４Ａは、本発明の好ましい実施形態による展開した状態のチャイルド安全シートを延ばし堅牢さを提供するための主要な構造上の構成部分の前面図である。
図４Ｂは、本発明の好ましい実施形態による圧縮状態のチャイルド安全シートを狭窄し堅牢さを提供するための主要な構造上の構成部品の前面図である。
図５Ａは、図４Ａにおいて、一続きの堅牢な部材を取り外した状態を示す。
図５Ｂは、図４Ｂにおいて、一続きの部材を取り外した状態を示す。
図６Ａは、ヘッドレストの構成部分の例示的な展開機構を示す。
図６Ｂは、背もたれの構成部分の例示的な展開機構を示す。
図６Ｃは、図６Ａのヘッドレスト展開構成部分と図６Ｂの背もたれ展開構成部分の組み立てを示し、本発明の好ましい実施形態によるチャイルド安全シートの部位の横方向の狭窄の変形移動展開を可能にする組み立て装置を形成したものを示す。
図７Ａは、本発明の他の好ましい実施形態による横方向狭窄機構を示す。
図７Ｂは、図７Ａに示される横方向への狭窄の実施形態の最初の動きを示す。
図７Ｃは、図７Ａに示される実施形態の回転自在な連結部に従って折り曲げられることにより、さらに圧縮された状態を示す。
図７Ｄは、図７Ａに示される実施形態の最終圧縮状態を示す。
図８Ａは、本発明の他の好ましい実施形態による横方向狭窄機構を示す。
図８Ｂは、図７Ａに示される横方向狭窄される実施形態のチャイルド安全シートが展開したときの状態を示す。
図９Ａは、本発明の他の好ましい実施形態による高さと幅の減少機構を示す。
図９Ｂは、図８Ａに示される実施形態の最初の圧縮状態を示す。
図９Ｃは、図８Ａに示される実施形態の最終圧縮状態を示す。
図１０Ａは、回転自在な連結部によって、ヘッドレストを背もたれに引っ込めた状態のチャイルド安全シートの他の実施形態の側面図。
図１０Ｂは、図１０Ａのチャイルド安全シートの圧縮の最初の段階を示す。
図１０Ｃは、図１０Ａのチャイルド安全シートの圧縮の第二の段階を示す。
図１０Ｄは、図１０Ａのチャイルド安全シートの圧縮の最終段階を示す。
本発明は、例示のみを手段として、添付の図面を参照して開示される。添付図面中では、同様の構成部分は、同様の参照番号で特定されている。
【発明を実施するための最良の形態】
【００１５】
本発明は、車内で使用し、使用中は開き、移送中は折りたたむことができるチャイルド安全シートすなわち子供用補助椅子を提供する。
子供用補助椅子の実施形態において、本発明のシートは固定用の構成部分によって車に常設されたシートに固定される。この構成部分の例としては、一本以上の帯、車の安全ベルト、または一つ以上の堅牢な固定装置、またはイギリス連邦のＢｒｉｔａｘ  Ｅｘｃｅｌｓｉｏｒ  Ｌｉｍｉｔｅｄによって開発され、米国特許番号第５，５２４，９６５号、第５．４８７，５８８号および第５，４６６，０４４号に開示されるようなＩＳＯＦＩＸシステムに用いられるようなラッチを含む。ＩＳＯＦＩＸシステムは、Ｂｒｉｔａｘ  Ｅｘｃｅｌｓｉｏｒによって公有財産とされている。
【００１６】
図１は、本発明の好ましい実施形態によるシートの子供用補助椅子の実施形態を示しており、該子供用補助椅子には、少なくとも一つの複数の堅牢な固定装置９０が設けられている。図３は、本発明の好ましい実施形態によるチャイルド安全シートが示されており、該チャイルド安全シートには、留め金８１で連結された一本以上のベルト８２の形状とされた一体型制止装置が設けられている。
この開示を明確にすることを目的として、「チャイルド安全シート」という用語は、本発明に適用された場合には、特別に指定されない限りは、「子供用補助椅子」と同等のものとして言及されているものとみなされるべきである。
【００１７】
図２Ａは、側面図である。図３は、本発明の好ましい実施形態による開状態のチャイルド安全シート１０の等角図である。シートの前向きの方向は矢印で示されている。
シート１０は、子供が座るための座面６と、子供の背中を支持する背もたれ７を備える背もたれ部と、子供の頭を支持するヘッドレスト８とを備える。座面６は、背もたれ７に回転自在に連結され、それによって座面６および背もたれ部は図２Ｂに示されるように互いに折り曲げることができ、それによってシートの高さを小さくすることができる（図３に１３で示される）。本発明の好ましい実施形態によれば、回転方向は、座面６の底面が背もたれ７の背面方向に引き寄せられるように回転する。本発明の他の実施形態によれば、回転方向は、座面６の頂面が背もたれ７の前面方向に引き寄せられるように回転可能である。
さらに、座面６および背もたれ部の構成部分、背もたれ７およびヘッドレスト８は、図４Ｂに示されるように横方向に狭窄することができ、それによって、シート幅を小さくできる（図３に１５で示される）。この横方向への狭窄機構は、本明細書中で後により詳しく述べられる。
【００１８】
さらに、ヘッドレスト８は、図２Ｂに示されるように、少なくとも部分的に背もたれ７に引っ込められ、または折りたたまれてもよく、それによって、シートの高さを小さくできる（図３に１３で示される）。引っ込め可能な実施形態において、ヘッドレスト８は、該ヘッドレスト８が展開のために引き上げることができ、または圧縮のために背もたれ７に向かって押し下げられることができるように、背もたれ７に摺動可能に取り付けられる。
これらの圧縮する特徴により、シート部分が展開された最大展開（開）位置とシート部分が折りたたまれた最小圧縮（折りたたみ）位置との間で動くことができ、チャイルド安全シートの寸法を変更することができる。
展開した状態のとき、本発明のチャイルド安全シートは車内でチャイルド安全シートとして使用できる状態である。圧縮状態のとき、チャイルド安全シートは、特に持ち運ぶのに便利で携帯でき、保管に効果的で、荷積みやその他の取り扱いに効果的な最小サイズまで小さくされる。
【００１９】
本発明はチャイルド安全シート１０の、使用していないときにシートを最小サイズに折りたたむことを可能にする構造上の構成要素に着目する。シート生地、クッション材料、引き寄せ機構の種類、チャイルド安全シートを車のシートに固定する手段等の、チャイルド安全シートのその他の構成要素は、本発明の着目点ではなく、本発明の具現化に組み込まれてもよいし、組み込まれなくてもよい。よって、本発明においては、これらの構成要素には最も一般的な手段が用いられ得る。例えば、シート生地は一般的な洗濯可能の難燃性の布であってもよいし、クッションは難燃性の気泡ゴム等であってもよい。
本開示では、座面６、背もたれ７およびヘッドレスト８を狭窄することによりシート幅１５を小さくすることができる横方向狭窄機構についてより詳細に検討する。各部位においては、展開位置と狭窄位置の間を二つ以上の部分が相互に動くことができる。
【００２０】
図４Ａおよび５Ａは、展開した状態にあるこれらの部位を（構造上の構成部品ではない部分を取り除いて）示しており、図４Ｂおよび５Ｂは、横方向に狭窄した後の圧縮状態にあるこれらの部位を示している。図４Ｂにおいて、ヘッドレスト８は、横方向への狭窄に加えて、背もたれ７の中に引き込まれているので、ほとんど隠れていることに気づくであろう。
狭窄部分に加えて、シートの各部位は、該部位に補強および堅牢性を提供する少なくとも一つの連続した堅牢な部材を備える。図４Ａを参照するに、連続した堅牢な部材は、座面６については６９で示され、背もたれ７については７９で示され、ヘッドレスト８については８９で示される。この堅牢な部材は図５Ａおよび５Ｂには示されておらず、狭窄機構の更なる部分を表している。
【００２１】
本発明の好ましい実施形態において、狭窄機構は、部位の側部を展開位置に伸ばし、圧縮位置に該側部を引っ込めるために摺動しつつ後ろへ下がるような細長く堅牢な構成要素を一般的に備える。当業者は、この機構を多くの方法で実行可能である。図４Ａ、４Ｂ、５Ａおよび５Ｂでは、ギアで起動される歯型ロッド手段によって実行されている。
より詳しくは、横方向の狭窄に伴って縦方向に動く部分は、下記のとおりである。
座面６に関しては、シート用ギア４ａがシート用歯型部材５１ａおよび５１ｂを動かして、シート用側部６１ａおよび６１ｂを各々動かす。
背もたれ７に関しては、背もたれ用ギア４ｂが背もたれ用歯型部材５２ａおよび５３ａを動かして、背もたれ側部６２ａを動かし、他方で、背もたれ用ギア４ｃが背もたれ用歯型部材５２ｂおよび５３ｂを動かして、背もたれ側部６２ｂを動かす。
【００２２】
ヘッドレスト８に関しては、ヘッドレスト用ギア４ｄがヘッドレスト用歯型部材５４ａおよび５４ｂを動かして、ヘッドレスト側部６３ａおよび６３ｂを各々動かす。
圧縮機構の起動（奥行きを小さくするための折り曲げ、幅を小さくするための狭窄、高さを低くするための引っ込めまたは折り曲げを含む）は、部位の機構を操作すること、または一つ以上の展開機構のいずれかによって全体的あるいは部分的に達成され得る。
例示のために、背もたれ７の狭窄機構の直接操作は、背もたれの側部を押して狭めて、引いて展開することである。または、展開機構は一つの動作を他の一つ以上の動作に変換するべく係合され得る。例えば、ヘッドレスト８を引っ込める動作を、背もたれ７とヘッドレスト８が同時に狭窄するように変換し、それによって、引っ込める動作と狭窄する動作とを同時に達成し、それを、ヘッドレスト８だけを引っ込めることを必要としているシートの使用者に都合のよい方法で行う。
【００２３】
そのような機構は、図６Ａ、６Ｂおよび６Ｃに記載されている。図６Ａは、例示の展開機構のヘッドレスト構成部分２８を表し、ヘッドレスト展開構成部分２８は、ヘッドレスト８や歯型をした細長い部材２９を引っ込めたり、延ばしたりする場合に使用者が握るためのハンドル９と（ハンドル９は図４Ａおよび４Ｂに記載されている）、ヘッドレストの歯形をした部材５４ａおよび５４ｂを通すためのスロット２５とを備える。
図６Ｂは例示の展開機構の背もたれの展開構成部分３０を表し、背もたれの展開構成部部３０は、ヘッドレストの細長い要素２９を通過させるスロット１９と、背もたれの歯型をした部材５２ａ、５３ａ、５２ｂおよび５３ｂを通過させるためのスロット１８と、歯型をした細長い部材２１とを備える。
【００２４】
図６Ｃはヘッドレストの展開構成部分２８と背もたれの展開構成部分３０の組み立てを表し、この組み立てにより背もたれ７とヘッドレスト８の狭窄から展開への動作の変換を下記の要領で可能にする。使用者がハンドル９を上げたり下げたりすることにより、ヘッドレストを動かす（引っ込めるまたは延ばす）と、歯型をした細長い部材２９は直線状の動きを背もたれギア４ｂおよび４ｃの回転に変換し、この回転は背もたれの歯型部材５２ａ、５３ａ、５２ｂおよび５３ｂの（ヘッドレストの元の動きに垂直な軸に沿った）直線的な動きに変換され、それによって、背もたれ側部６２ａおよび６２ｂを動かし、さらに背もたれ７を狭窄または広げる。
同時に、ヘッドレスト８の動きもまたヘッドレストギア４ｄを歯型をした細長い部材２１に沿って動かし、それによってヘッドレストギア４ｄの回転動作を引き起こし、この回転動作がヘッドレストの歯型部材５４ａおよび５４ｂの垂直な線状動作に変換され、ヘッドレスト側部６３ａおよび６３ｂを動かし、さらにヘッドレスト８を狭窄または広げる。
【００２５】
当業者にとってはそのような展開機構が可能であることは明白であろう。例えば、図６Ｃに示される展開機構は、歯型を有する細長い部材２９を延ばしてシートギア４ａまで到達させることにより座面６までも展開することができ、それによって、起動している使用者の動きをシート用の歯型部材５１ａおよび５１ｂにも加えることができ、さらにシート用側部６１ａおよび６１ｂを動かす。
当業者にとっては、様々な他の横方向狭窄機構が可能であることも明白であろう。例えば、図７Ａは、背もたれ７とヘッドレスト８の横方向の平面に沿う細長い部材の垂直移動がそれらの部位と同様に座面６も狭窄および広げるように回転自在に接続された７２堅牢な細長い構成要素７１の構成を示す。同様の機構が座面６を横方向に狭窄するために採用される。
【００２６】
図７Ｂは、この横方向狭窄機構の最初の動きを示す。図７Ｃは、回転自在な連結部９１および５に沿って折り曲げることによって、さらに圧縮することを示す。図７Ｄは、最終的に圧縮されたチャイルド安全シートを示す。
チャイルド安全シートの横方向狭窄のための機構の他の実施形態が図８Ａおよび８Ｂに開示される。この実施形態において、シートの部位は横方向狭窄アクチュエータ７７に繋げられたチューブを備える支持部７６で構成される。横方向狭窄アクチュエータ７７を一方向に回転させることで、横方向の支持部７６同士（図８Ａ）の間の距離を狭め、それによって、チャイルド安全シートの幅１５を小さくする。アクチュエータを逆方向に回転させることで、横方向の支持部７６（図８Ｂ）同士の間の距離を大きくし、それによって、チャイルド安全シートの幅１５を大きくする。
【００２７】
部位６，７および／または８の横方向への狭窄およびそれらの部位のいくつかまたは全てを引っ込めることの両方の他の実施形態が図９Ａに示され、回転自在または摺動自在に連結された様々なフラップ７５が幅１５および高さ１３の延びに沿って展開及び圧縮（図９Ｂおよび図９Ｃ）を可能にする。
当業者にとって、様々な他のヘッドレスト引っ込め機構もまた可能であることは明白であろう。例えば、図１０Ａは、完全に展開した状態の本発明の他の好ましい実施形態を示しており、ここでヘッドレスト８は、引っ込めのために、背もたれ７に向けて折り曲げられるよう背もたれ７に回転自在に連結されている。
図１０Ｂは、ヘッドレストから背もたれまでの回転自在な連結部９１と、座面から背もたれ７までの上述の回転自在な連結部５とを示す。図１０Ｃは、部位を回転させる過程を示す。図１０Ｄは、最終的に圧縮されたチャイルド安全シート１０を示す。
【００２８】
本明細書中に記載された実施形態の記載および添付の図面は、発明の理解を容易にする役割のみを有し、下記に記載の請求の範囲を限定するものではないことは明白でなければならない。
本明細書を読んだ後に、当業者は、添付の図面および上記の実施形態に調整すなわち補正を加えることができるであろうが、それらもまた下記に記載の請求の範囲に含まれるであろうこともまた明白でなければならない。
【図面の簡単な説明】
【００２９】
【図１】本発明の好ましい実施形態による、堅牢な固定装置を備えるチャイルド安全シートの子供用補助椅子の一形態である。
【図２】図２Ａは、本発明の好ましい実施形態による展開した状態のチャイルド安全シートの主要な構成部分の側面図である。    図２Ｂは、本発明の好ましい実施形態による圧縮状態のチャイルド安全シートの主要な構成部分の側面図である。
【図３】本発明の好ましい実施形態による展開した状態のチャイルド安全シートの主要な構造上の構成部分の等角図である。
【図４】図４Ａは、本発明の好ましい実施形態による展開した状態のチャイルド安全シートを延ばし堅牢さを提供するための主要な構造上の構成部分の前面図である。    図４Ｂは、本発明の好ましい実施形態による圧縮状態のチャイルド安全シートを狭窄し堅牢さを提供するための主要な構造上の構成部品の前面図である。
【図５】図５Ａは、図４Ａにおいて、一続きの堅牢な部材を取り外した状態を示す。    図５Ｂは、図４Ｂにおいて、一続きの部材を取り外した状態を示す。
【図６Ａ】ヘッドレストの構成部分の例示的な展開機構を示す。
【図６Ｂ】背もたれの構成部分の例示的な展開機構を示す。
【図６Ｃ】図６Ａのヘッドレスト展開構成部分と図６Ｂの背もたれ展開構成部分の組み立てを示し、本発明の好ましい実施形態によるチャイルド安全シートの部位の横方向の狭窄の変形移動展開を可能にする組み立て装置を形成したものを示す。
【図７】図７Ａは、本発明の他の好ましい実施形態による横方向狭窄機構を示す。    図７Ｂは、図７Ａに示される横方向への狭窄の実施形態の最初の動きを示す。    図７Ｃは、図７Ａに示される実施形態の回転自在な連結部に従って折り曲げられることにより、さらに圧縮された状態を示す。    図７Ｄは、図７Ａに示される実施形態の最終圧縮状態を示す。
【図８】図８Ａは、本発明の他の好ましい実施形態による横方向狭窄機構を示す。    図８Ｂは、図７Ａに示される横方向狭窄される実施形態のチャイルド安全シートが展開したときの状態を示す。
【図９】図９Ａは、本発明の他の好ましい実施形態による高さと幅の減少機構を示す。    図９Ｂは、図８Ａに示される実施形態の最初の圧縮状態を示す。    図９Ｃは、図８Ａに示される実施形態の最終圧縮状態を示す。
【図１０】図１０Ａは、回転自在な連結部によって、ヘッドレストを背もたれに引っ込めた状態のチャイルド安全シートの他の実施形態の側面図。    図１０Ｂは、図１０Ａのチャイルド安全シートの圧縮の最初の段階を示す。    図１０Ｃは、図１０Ａのチャイルド安全シートの圧縮の第二の段階を示す。    図１０Ｄは、図１０Ａのチャイルド安全シートの圧縮の最終段階を示す。
【符号の説明】
【００３０】
６  座面
７  背もたれ
８  ヘッドレスト部
１０  シート
２５  スロット
２９  細長い部材
【図１】
2007528315.tif 000003
【図２】
2007528315.tif 000004
【図３】
2007528315.tif 000005
【図４】
2007528315.tif 000006
【図５】
2007528315.tif 000007
【図６Ａ】
2007528315.tif 000008
【図６Ｂ】
2007528315.tif 000009
【図６Ｃ】
2007528315.tif 000010
【図７】
2007528315.tif 000011
【図８】
2007528315.tif 000012
【図９】
2007528315.tif 000013
【図１０】
2007528315.tif 000014
【国際調査報告】
2007528315.tif 000015